(57)【要約】      （修正有）【課題】芳名札の管理や運搬作業を合理化し、芳名札の製作も容易な芳名札付き生花容器を提供する。【解決手段】生花を生ける容器１０を設ける。容器１０の後側板に設けた支柱１２を介して着脱自在に装着する背板２０を設ける。背板２０の上端部に装着する芳名札用の表示板４０を設ける。表示板４０と背板２０とを連結する連結板３０を設ける。連結板３０の下端部に、背板２０の上端部を着脱自在に嵌合せしめる連結溝３１を形成する。連結板３０の上端部に、表示板４０の下端部を直接嵌合せしめる嵌合溝３２を形成する。表示板４０のみで構成された芳名札を背板２０に装着する。【選択図】図２
0003165272.tif 000002
【実用新案登録請求の範囲】
【請求項１】
生花を生ける容器と、該容器の後側板に設けた支柱を介して着脱自在に装着する背板と、該背板の上端部に装着する芳名札用の表示板と、該表示板と背板とを連結する連結板とで構成され、連結板の下端部に、背板の上端部を着脱自在に嵌合せしめる連結溝を形成すると共に、連結板の上端部に、表示板の下端部を直接嵌合せしめる嵌合溝を形成し、表示板のみで構成された芳名札を背板に装着することを特徴とする芳名札付き生花容器。
【請求項２】
前記連結板の嵌合溝は２種類の幅に形成され、厚みの異なる２種類の表示板に嵌合するように形成された請求項１記載の芳名札付き生花容器。
【請求項３】
前記背板は、前記容器の後側板から立設された支柱の前面に配設され、該背板の裏面に、支柱と背板とを着脱自在に連結する連結具を備えた請求項１記載の芳名札付き生花容器。
【請求項４】
前記背板の板面に手指を挿通せしめる挿通孔が開穿され、該背板を連結した前記支柱を介して前記容器ごと持運び自在に構成された請求項３記載の芳名札付き生花容器。
【考案の詳細な説明】
【技術分野】
【０００１】
本考案は、主に葬儀用として使用される芳名札付き生花容器に係り、特に芳名札と生花容器とを一体化して使用することが可能な芳名札付き生花容器に関するものである。
【背景技術】
【０００２】
一般的に、葬儀に送られる生花には、送り主の名前を表示する芳名札が添えられる。この芳名札は、例えば図５に示すように、支柱１００と表示板２００とで構成され、生花を生ける花器の中に支柱１００を差し込んで固定する方法などが採られている。
【０００３】
一方、この芳名札を生花容器の背板に装着するように構成された生花容器が特許文献１に記載されている。この生花容器によると、花同士の間の隙間を目立たなくするための背板の下端部を生花容器内で保持し、更に、この背板の上部に設けた名札ホルダーに、芳名札の支柱を差し込んで立設するものである。
【先行技術文献】
【特許文献】
【０００４】
【特許文献１】特開２００７−１９０２６８号公報
【考案の概要】
【考案が解決しようとする課題】
【０００５】
図５に示すような従来の芳名札は、支柱１００と表示板２００とで構成されているので生花容器等に比べて嵩張る構成になっている。そのため、受注に応じるため多数の芳名札を準備すると、これら多数の芳名札の収納管理や運搬などに多くのスペースが必要になっていた。また、表示板２００に支柱１００を連結する作業などが必要になるので、芳名札の製作作業に極めて多くの手間を要するものである。
【０００６】
特許文献１に記載されている名札も短いながら支柱で立設する構成になっている。そのため、この名札の製作作業は、図５に示す従来の芳名札と変わらない手間を要するものになる。また、多数の名札を管理する場合、表示板から突出する支柱が妨げになり、重ねて収納することは困難になる。
【０００７】
また、業界では、注文に応じて２種類の厚みの芳名札が選択使用されている。したがって、当業者は、２種類の厚みの芳名札を支柱付きの状態で管理し運搬する必要があり、芳名札の管理や運搬作業をより困難なものにしている。このように、芳名札や名札に設けられている支柱は、長さの程度を問わず、管理作業や運搬作業、並びに製作作業に多くの支障を来たすものであった。
【０００８】
そこで本考案は上述の課題を解消すべく案出されたもので、芳名札の管理や運搬作業を合理化し、しかも、芳名札の製作も容易な芳名札付き生花容器の提供を目的とするものである。
【課題を解決するための手段】
【０００９】
上述の目的を達成すべく本考案の第１の手段は、生花を生ける容器１０と、該容器１０の後側板に設けた支柱１２を介して着脱自在に装着する背板２０と、該背板２０の上端部に装着する芳名札用の表示板４０と、該表示板４０と背板２０とを連結する連結板３０とで構成され、連結板３０の下端部に、背板２０の上端部を着脱自在に嵌合せしめる連結溝３１を形成すると共に、連結板３０の上端部に、表示板４０の下端部を直接嵌合せしめる嵌合溝３２を形成し、表示板４０のみで構成された芳名札を背板２０に装着することにある。
【００１０】
第２の手段において、前記連結板３０の嵌合溝３２は２種類の幅に形成され、厚みの異なる２種類の表示板４０に嵌合するように形成されたものである。
【００１１】
第３の手段において、前記背板２０は、前記容器１０の後側板１１から立設された支柱１２の前面に配設され、該背板２０の裏面に、支柱１２と背板２０とを着脱自在に連結する連結具２１を備えている。
【００１２】
第４の手段において、前記背板２０の板面に手指を挿通せしめる挿通孔２２が開穿され、該背板２０を連結した前記支柱１２を介して前記容器１０ごと持運び自在に構成されたものである。
【考案の効果】
【００１３】
本考案の請求項１の如く、容器１０の後側板に設けた支柱１２を介して着脱自在に装着する背板２０と、該背板２０の上端部に装着する芳名札用の表示板４０と、背板背板２０と表示板４０とを連結する連結板３０とを構成したことにより、支柱のない表示板４０のみで構成された芳名札を生花容器に装着することが可能になった。この結果、芳名札の管理や運搬作業を合理化することができる。しかも、芳名札の製作も支柱がないので極めて容易に行える。更に、連結板３０を使用した表示板４０の装着作業も極めて容易である。
【００１４】
請求項２の如く、連結板３０の嵌合溝３２は２種類の幅に形成され、厚みの異なる２種類の表示板４０に嵌合するように形成しているので、注文に応じて２種類の厚みの芳名札が選択使用することも可能である。しかも、表示板４０の厚みが異なっても芳名札の管理や運搬作業を合理化できることに変わりはない。
【００１５】
請求項３のように、背板２０は、前記容器１０の後側板１１から立設された支柱１２の前面に配設され、該背板２０の背面に、支柱１２と背板２０とを着脱自在に連結する連結具２１を備えているので、容器１０と背板２０とを確実に連結することができる。したがって、この背板２０に装着する表示板４０も安定した状態で装着できるものである。
【００１６】
請求項４の如く、背板２０の板面に手指を挿通せしめる挿通孔２２が開穿され、該背板２０を連結した前記支柱１２を介して前記容器１０ごと持運び自在に構成している。この結果、容器１０にセットした背板２０や表示板４０をそのまま移動することができるので、生花の搬入作業や撤収作業を合理化することができる。
【図面の簡単な説明】
【００１７】
【図１】本考案の一実施例を示す正面図である。
【図２】本考案の一実施例を示す分解斜視図である。
【図３】本考案の連結板を示す側断面図である。
【図４】本考案の支柱と背板との連結状態を示す要部背面図である。
【図５】従来の芳名札を示す正面図である。
【考案を実施するための形態】
【００１８】
このように本考案によると、芳名札の管理や運搬作業を合理化し、しかも、芳名札の製作も容易にするなどといった目的を実現した。
【実施例】
【００１９】
以下、本考案の一実施例を説明する。本考案の主要構成は、容器１０、背板２０、連結板３０、表示板４０にて構成される。
【００２０】
容器１０は、生花を生ける容器である。この容器１０の後側板１１から支柱１２が立設されている（図４参照）。図示例では、後側板１１に沿って逆Ｕ字形状の支柱１２を設けている。更に、この支柱１２を強固に固定するために、固定具１３を使用している。この固定具１３は、開口部１３Ａを有する枠体状に形成している。そして、後側板１１の上端縁にこの固定具１３を装着し、固定具１３の開口部１３Ａで支柱１２を支持するものである（図２参照）。更に、支柱１２の下端部を屈曲して容器１０の底板１４に接合することで容器１０に対する支柱１２の固定を確かなものにしている（図４参照）。
【００２１】
背板２０は、支柱１２を介して容器１０に着脱自在に装着する部材で、生花の安定と見栄えを良好にする。この背板２０は、背板２０の裏面に設けた連結具２１にて支柱１２に連結するように設けている（図４参照）。図示の連結具２１は、帯状の面ファスナーを使用したもので、連結具２１の一端部を予め背板２０に固定しておき、他端部の雌面部２１Ｂと、予め背板２０に固定している雄面部２１Ａとを着脱せしめるものである。そして、帯状の連結具２１の内側に支柱１２を保持する構成を成している。
【００２２】
また、背板２０の板面に、手指を挿通せしめる挿通孔２２を開穿している（図１参照）。この挿通孔２２に手指を係止して持ち上げると、背板２０を連結している支柱１２を介して容器１０ごと持運びできるように構成している。図示例では、挿通孔２２を持ち上げると、前記帯状の連結具２１により、背板２が上方へ移動するが、逆Ｕ字形状の上端部に手指がかかり、容器１０ごと運ぶことが可能になっている（図４参照）。更に、図示例では、挿通孔２２を補強する補強枠２２Ａを形成している（図２参照）。
【００２３】
連結板３０は、背板２０と表示板４０とを着脱自在に連結する部材である（図３参照）。この連結板３０は、透明な材質で形成することで周囲との調和を図ることができる。そして、連結板３０の下端部に、背板２０の上端部を嵌合せしめる連結溝３１を形成している。また、連結板３０の上端部には、表示板４０の下端部を直接嵌合せしめる嵌合溝４１を形成している。このとき、連結溝３１は２種類の幅に形成され、厚みの異なる２種類の表示板４０にそれぞれ嵌合するように設けている。図示例では、薄い表示板４０を嵌合せしめる幅狭連結溝３２Ａを形成し、この幅狭連結溝３２Ａに隣接して、厚い表示板４０を嵌合せしめる幅厚連結溝３２Ｂを形成している。そして、幅厚連結溝３２Ｂを幅狭連結溝３２Ａよりも浅く形成し、１つの嵌合溝３２に二種類の厚みの表示板４０を嵌合できるようにしている。
【００２４】
表示板４０は、背板２０の上端部に装着する芳名札として使用するものである。この表示板４０には、従来の芳名札のような支柱１００はなく、表示板４０のみで構成された芳名札を背板２０に装着することになる。図示例の表示板４０は、帯板の上端部に屋根部４１を形成しているが、この屋根部４１の有無は選択可能である。また、表示板４０の板厚は、注文に応じて２種類の厚みから選択できるように形成している。
【００２５】
本考案は、容器１０と背板２０と表示板４０とがそれぞれ分解自在にして各別に収納管理しておき、生花の注文により、これらを組み立てて使用する。表示板４０は芳名を書き込む前の状態で多数製作しておく。依頼があった時点で表示板４０に芳名を書き込み、連結板３０を使用して背板２０の上に設置するものである。
【産業上の利用可能性】
【００２６】
本考案によると、葬儀用の芳名札付き生花容器に限定されず、表示板４０や背板２０等のデザインを変更することで、冠婚葬祭何れの生花容器としても利用することができる。また、本考案の構成は図示例に限定されるものでなく、容器１０、背板２０、連結板３０、表示板４０の等の形状や構成は、図示例に限定されるものではなく、各材質の変更も自由であり、本考案の要旨を変更しない範囲で任意に変更することができる。
【符号の説明】
【００２７】
１０  容器
１１  後側板
１２  支柱
１３  固定具
１４  底板
２０  背板
２１  連結具
２１Ａ  雄面部
２１Ｂ  雌面部
２２  挿通孔
２２Ａ  補強枠
３０  連結板
３１  連結溝
３２  嵌合溝
４０  表示板
４１  屋根部
【図１】
0003165272.tif 000003
【図２】
0003165272.tif 000004
【図３】
0003165272.tif 000005
【図４】
0003165272.tif 000006
【図５】
0003165272.tif 000007